【事件の表示】
　特許第２９０９４１７号「給湯装置」の請求項１〜３に係る特許に対する特許異議の申立てについて、次のとおり決定する。
【結　論】
　訂正を認める。
　特許第２９０９４１７号の請求項１〜３に係る特許を維持する。
【理　由】
１、手続の経緯について
　特許第２９０９４１７号の請求項１〜７に係る発明の出願は、平成７年９月２９日に出願され、平成１１年４月２日にはその設定登録が、続く平成１１年６月２３日にはその特許公報が発行されたものである。
　これに対し、本件異議申立人より、上記請求項の内の請求項１〜３に係る発明について、特許異議の申立期間内である平成１１年１２月２０日に特許異議の申立がされ、平成１２年４月２８日にはその内の請求項１〜２に係る発明に対し、取消理由通知書が本件特許権者へ発送され、その指定期間内である平成１２年６月２７日には、本件特許権者より、特許異議意見書及び訂正請求書が提出された。
　そしてその後、上記訂正請求に対し、平成１２年８月２３日に訂正拒絶理由通知が本件特許権者に手交され、その指定期間内である平成１２年８月２３日には、本件特許権者より、上記訂正請求書に添付した明細書を補正する補正書が提出された。
２、上記訂正請求の適否について
（１）訂正請求書に添付した明細書の上記補正の適否
　平成１２年８月２３日に本件特許権者より提出された上記補正書の内容は、その独立請求項である請求項３の文章の頭に誤って記載されていた「前記給湯制御手段が」との語句を、上記訂正請求書の「（３）訂正事項」の「訂正事項ｂ」にも記載されているように、本来あるべき「一般給湯割込みの際、一定時間経過するまで、前記高温給湯弁（２２）を開弁状態に維持するように構成してある給湯装置。」との文章の前に正しく記載し直すだけのものであるから、単なる誤記の補正に当たり、訂正請求書の要旨を変更するものではなく、適法なものといえる。
（２）訂正請求書の請求項１〜８に係る発明
　訂正請求書に添付された明細書の上記補正が上述のごとく適法なものであるとすれば、訂正明細書の請求項１〜８に係る発明は、その特許請求の範囲に記載された下記のとおりのものである。
「　　【請求項１】　給水路（１）からの水をバーナ（４）の燃焼により加熱して給湯路（２）に供給する熱交換器（３）を有する給湯器（Ａ）と、一般の給湯栓（１１）へ給湯するために前記給湯路（２）に連通接続の一般給湯路（１２）と、この一般給湯路（１２）と前記給水路（１）とを連通接続するバイパス路（１９）と、このバイパス路（１９）に設けられたバイパス弁（２０）と、高温の湯を給湯するために前記給湯路（２）に連通接続の高温給湯路（２１）と、この高温給湯路（２１）に設けられた高温給湯弁（２２）と、前記給湯器（Ａ）、バイパス弁（２０）、ならびに、高温給湯弁（２２）を制御する給湯制御手段（Ｈ）とを備え、この給湯制御手段（Ｈ）が、前記給水路（１）からの水を、その一部を前記熱交換器（３）によって加熱して前記バイパス路（１９）からの水と混合して一般給湯を行い、前記高温給湯路（２１）への高温給湯中に一般給湯の割込みがあると、前記給水路（１）の水をバイパス路（１９）を介して一般給湯路（１２）へ供給するように構成してある給湯装置であって、
　前記給湯制御手段（Ｈ）が、一般給湯割込みの際、前記給湯路（２）からの高温湯の流入によって高温となった一般給湯路（１２）の湯温が低下するまで、前記高温給湯弁（２２）を開弁状態に維持するように構成してある給湯装置。
　　【請求項２】　前記給湯路（２）に供給する湯の温度を検出する給湯温検出手段（７）を設け、前記給湯制御手段（Ｈ）が、一般給湯割込みの際、前記給湯温検出手段（７）による検出給湯温が所定の温度以下になるまで、前記高温給湯弁（２２）を開弁状態に維持するように構成してある請求項１記載の給湯装置。
　　【請求項３】　給水路（１）からの水をバーナ（４）の燃焼により加熱して給湯路（２）に供給する熱交換器（３）を有する給湯器（Ａ）と、一般の給湯栓（１１）へ給湯するために前記給湯路（２）に連通接続の一般給湯路（１２）と、この一般給湯路（１２）と前記給水路（１）とを連通接続するバイパス路（１９）と、このバイパス路（１９）に設けられたバイパス弁（２０）と、高温の湯を給湯するために前記給湯路（２）に連通接続の高温給湯路（２１）と、この高温給湯路（２１）に設けられた高温給湯弁（２２）と、前記給湯器（Ａ）、バイパス弁（２０）、ならびに、高温給湯弁（２２）を制御する給湯制御手段（Ｈ）とを備え、この給湯制御手段（Ｈ）が、前記高温給湯路（２１）への高温給湯中に一般給湯の割込みがあると、前記給水路（１）の水をバイパス路（１９）を介して一般給湯路（１２）へ供給するように構成してある給湯装置であって、
　前記給湯制御手段（Ｈ）が、一般給湯割込みの際、一定時間経過するまで、前記高温給湯弁（２２）を開弁状態に維持するように構成してある給湯装置。
　　【請求項４】　前記高温給湯路（２１）に流量変更手段（２２）を設け、前記給湯制御手段（Ｈ）が、一般給湯割込みの際、前記高温給湯路（２１）の流量を設定流量にするように前記流量変更手段（２２）を変更操作するように構成してある請求項３記載の給湯装置。
　　【請求項５】　前記高温給湯路（２１）が浴槽（８）へ追焚き給湯するための追焚き路で、かつ、前記高温給湯弁（２２）と流量変更手段（２２）が、前記追焚き路（２１）に設けた追焚き弁である請求項４記載の給湯装置。
　　【請求項６】　前記給水路（１）からの水の温度を検出する給水温検出手段（６）を設け、前記給湯制御手段（Ｈ）が、一般給湯割込みの際、前記給水温検出手段（６）による検出給水温が高い程、前記追焚き弁（２２）の開度を大に、検出給水温が低い程、前記追焚き弁（２２）の開度を小に変更するように構成してある請求項５記載の給湯装置。
　　【請求項７】　給水路（１）からの水をバーナ（４）の燃焼により加熱して給湯路（２）に供給する熱交換器（３）を有する給湯器（Ａ）と、一般の給湯栓（１１）へ給湯するために前記給湯路（２）に連通接続の一般給湯路（１２）と、この一般給湯路（１２）と前記給水路（１）とを連通接続するバイパス路（１９）と、このバイパス路（１９）に設けられたバイパス弁（２０）と、高温の湯を給湯するために前記給湯路（２）に連通接続の高温給湯路（２１）と、この高温給湯路（２１）に設けられた高温給湯弁（２２）と、前記給湯器（Ａ）、バイパス弁（２０）、ならびに、高温給湯弁（２２）を制御する給湯制御手段（Ｈ）とを備え、この給湯制御手段（Ｈ）が、前記高温給湯路（２１）への高温給湯中に一般給湯の割込みがあると、前記給水路（１）の水をバイパス路（１９）を介して一般給湯路（１２）へ供給するように構成してある給湯装置であって、
　前記給湯制御手段が、一般給湯割込みの際、前記給湯路（２）からの高温湯の流入によって高温となった一般給湯路（１２）の湯温が低下するまで、前記高温給湯弁（２２）を開弁状態に維持し、かつ、前記バイパス弁（２０）を全開にするように制御する給湯装置。
　　【請求項８】　前記給湯制御手段（Ｈ）が、一般給湯割込みの際、前記バイパス弁（２０）を全開にするように制御する請求項３、４、５または６記載の給湯装置。」
（３）訂正の内容
ａ、訂正事項ａ
　願書に添付した明細書の第１頁第１２〜１４行目（本件特許公報第１欄第１３行目〜第２欄２行目）の「この給湯制御手段（Ｈ）が、……………一般給湯路（１２）へ供給するように構成してある」を、『この給湯制御手段（Ｈ）が、前記給水路（１）からの水を、その一部を前記熱交換器（３）によって加熱して前記バイパス路（１９）からの水と混合して一般給湯を行い、前記高温給湯路（２１）への高温給湯中に一般給湯の割込みがあると、前記給水路（１）の水をバイパス路（１９）を介して一般給湯路（１２）へ供給するように構成してある』に訂正する。
ｂ、訂正事項ｂ
　同明細書の第１頁第２２〜２４行目（同第２欄第１４行目〜第３欄２行目）の「前記給湯制御手段（Ｈ）が、……………請求項１記載の給湯装置。」を、次文に訂正する。
『給水路（１）からの水をバーナ（４）の燃焼により加熱して給湯路（２）に供給する熱交換器（３）を有する給湯器（Ａ）と、一般の給湯栓（１１）へ給湯するために前記給湯路（２）に連通接続の一般給湯路（１２）と、この一般給湯路（１２）と前記給水路（１）とを連通接続するバイパス路（１９）と、このバイパス路（１９）に設けられたバイパス弁（２０）と、高温の湯を給湯するために前記給湯路（２）に連通接続の高温給湯路（２１）と、この高温給湯路（２１）に設けられた高温給湯弁（２２）と、前記給湯器（Ａ）、バイパス弁（２０）、ならびに、高温給湯弁（２２）を制御する給湯制御手段（Ｈ）とを備え、この給湯制御手段（Ｈ）が、前記高温給湯路（２１）への高温給湯中に一般給湯の割込みがあると、前記給水路（１）の水をバイパス路（１９）を介して一般給湯路（１２）へ供給するように構成してある給湯装置であって、
　前記給湯制御手段（Ｈ）が、一般給湯割込みの際、一定時間経過するまで、前記高温給湯弁（２２）を開弁状態に維持するように構成してある給湯装置。』
ｃ、訂正事項ｃ
　同明細書の第１頁第２８行目（同第３欄第７行目）の「請求項２または３記載の給湯装置」を、『請求項３記載の給湯装置』に訂正する。
ｄ、訂正事項ｄ
　同明細書の第２頁第８〜１０行目（同第３欄第２０〜２３行目）の「【請求項７】　前記給湯制御手段（Ｈ）が、……………請求項１、２、３、４、５または６記載の給湯装置。」を、次文に訂正する。
『【請求項７】　給水路（１）からの水をバーナ（４）の燃焼により加熱して給湯路（２）に供給する熱交換器（３）を有する給湯器（Ａ）と、一般の給湯栓（１１）へ給湯するために前記給湯路（２）に連通接続の一般給湯路（１２）と、この一般給湯路（１２）と前記給水路（１）とを連通接続するバイパス路（１９）と、このバイパス路（１９）に設けられたバイパス弁（２０）と、高温の湯を給湯するために前記給湯路（２）に連通接続の高温給湯路（２１）と、この高温給湯路（２１）に設けられた高温給湯弁（２２）と、前記給湯器（Ａ）、バイパス弁（２０）、ならびに、高温給湯弁（２２）を制御する給湯制御手段（Ｈ）とを備え、この給湯制御手段（Ｈ）が、前記高温給湯路（２１）への高温給湯中に一般給湯の割込みがあると、前記給水路（１）の水をバイパス路（１９）を介して一般給湯路（１２）へ供給するように構成してある給湯装置であって、
　前記給湯制御手段が、一般給湯割込みの際、前記給湯路（２）からの高温湯の
流入によって高温となった一般給湯路（１２）の湯温が低下するまで、前記高温給湯弁（２２)を開弁状態に維持し、かつ、前記バイパス弁（２０）を全開にするように制御する給湯装置。
【請求項８】　前記給湯制御手段（Ｈ）が、一般給湯割込みの際、前記バイパス弁（２０）を全開にするように制御する請求項３、４、５または６記載の給湯装置。』
ｅ、訂正事項ｅ
　同明細書の第５頁第９行目（本件特許公報第５欄２９行目）の「請求項７に記載の発明によれば」を、『請求項７および８に記載の発明によれば』に訂正する。
（４）訂正の目的の適否、新規事項の有無及び拡張・変更の存否
ａ、訂正事項ａ
　訂正事項ａは、願書に添付した明細書の特許請求の範囲の請求項１に記載された「給湯制御手段」の内容を限定的に減縮するものであって、しかも、願書に添付した明細書の段落［００２０］における「このようにして給水路１からの水は、その一部が熱交換器３によって加熱されてバイパス路１９からの水と混合され、給湯線１１から吐出される」との記載を根拠とするものであるから、新規事項の追加に該当せず、実質的に特許請求の範囲を拡張又は変更するものでもない。
ｂ、訂正事項ｂ
　訂正事項ｂは、願書に添付した明細書の特許請求の範囲の従属請求項である請求項３をただ単に独立請求項に変更しただけのものであるから、不明りょうな記載の釈明に該当し、新規事項の追加に該当せず、実質的に特許請求の範囲を拡張又は変更するものでもない。
ｃ、訂正事項ｃ
　訂正事項ｃは、従属請求項である請求項４が引用する請求項を「２または３」から「３」にただ単に限定するものであるから、特許請求の範囲の減縮に該当し、新規事項の追加に該当せず、実質的に特許請求の範囲を拡張又は変更するものでもない。
ｄ、訂正事項ｄ
　訂正事項ｄは、願書に添付した明細書の特許請求の範囲の従属請求項である請求項７において引用していた「請求項１、２、３、４、５または６」の内、「請求項１」に対応する部分をただ単に独立請求項に変更するとともに、「請求項３、４、５または６」に対応する部分を新たな請求項８として分離して記載し直しただけのものであり、しかも、同請求項７が引用する請求項３及び請求項４に係る訂正は上述のごとく適法なものであるから、不明りょうな記載の釈明に該当し、新規事項の追加に該当せず、実質的に特許請求の範囲を拡張又は変更するものでもない。
（５）訂正の独立特許要件
ａ、引用例記載の発明
　本件特許の出願日前の他の出願であって、その出願後に出願公開された特願平６−３０５６２０号（特開平８−１３６０４７号公報参照）の願書に最初に添付した明細書及び図面（以下、「先願明細書等」という）には、
「【実施例】以下に、本発明を具体化した実施例を図面を参照して詳細に説明する。図１に、本実施例に係る高温差湯機能付給湯器の構成を示す。図１に示す高温差湯機能付給湯器は、給水管１と出湯管２とが配管される熱交換器３と、この熱交換器３を流れる水を加熱するためのガスバーナ４と、出湯管２から分岐して浴槽４１へ湯を供給する浴槽給湯管６と、給水管１から分岐して出湯管２の浴槽給湯管６との分岐部ｂより下流の位置に接続されるバイパス管８と、出湯管２の浴槽給湯管６との分岐部ｂより上流の位置から分岐して浴槽給湯管６に接続される差湯管５と、を有している。また、出湯管２のバイパス管８との接続部ｃより下流には、図示しないシャワーや台所等に至る一般給湯管７が接続されている。
【００１５】そして、ガスバーナ４には燃料ガスの流量調整をするガス比例弁２１が、給水管１のバイパス管８との分岐部ｅより上流には水流の流量を検出する流量センサ１０と水の最大流量を規制する水ガバナ９とが、それぞれ設けられている。バイパス管８には、バイパス水電磁弁１１が設けられている。
【００１６】また出湯管２には、差湯管５との分岐部ａより上流の位置に、熱交換器３からの出湯温度を測定する出湯サーミスタ１２が、浴槽給湯管６との分岐部ｂとバイパス管８との接続部ｃとの間の位置に、バイパス管８から浴槽給湯管６への水の流入を防止する逆止弁１５が、それぞれ設けられている。また出湯管２のバイパス管８との接続部ｃより下流の位置には、流れの有無を検知する給湯水流センサ１６と給湯温度を測定する給湯サーミスタ１７とが設けられ、一般給湯管７に接続されている。また、浴槽給湯管６には浴槽４１へ自動給湯するときに開弁される第１水電磁弁１４が、差湯管５には浴槽４１へ高温差湯するときに開弁される第２水電磁弁１３と最大流量を規制する湯ガバナ２０とが、それぞれ設けられている。
【００１７】更に、流量センサ１０、出湯サーミスタ１２、給湯水流センサ１６及び給湯サーミスタ１７から信号を受け、ガス比例弁２１、バイパス水電磁弁１１、及び第１、第２、第３水電磁弁１３、１４を制御するコントローラ１８を有している。コントローラ１８は、公知のＣＰＵ、ＲＯＭ、ＲＡＭ等により構成される。コントローラ１８のＲＯＭには、後述する給湯切換制御等を行うための種々のプログラムが格納されている。また、コントローラ１８は、リモコン１９を備えている。リモコン１９により、浴室内や台所等から高温差湯機能付給湯器を遠隔操作することができる。またリモコン１９は、高温差湯機能付給湯器の運転状況を表示するための表示機能や警報機能も有している。」（先願明細書の段落［００１４］〜［００１７］）、
「【００２３】次に、蛇口等の一般給湯を使用する場合を説明する。一般給湯は、台所の蛇口や浴室のシャワー等を開栓することにより行う。この場合には図４に示すようにバイパス水電磁弁１１、第１、第２水電磁弁１３、１４はいずれも閉じられている。このため熱交換器３から一般給湯管７を経て蛇口等へ湯が流れる。」（先願明細書の段落［００２３］抜粋）、
「【００２４】かかる高温差湯機能付給湯器においては、高温差湯を行っている途中で蛇口等を開いた場合には、一般給湯を優先して高温差湯を中断する。しかし、高温差湯のための高温の湯がそのまま蛇口等から出ると危険なので、バイパス管８からの冷水と混合され温度が下げられて一般給湯管７に流入するようになっている。そして、ガス比例弁２１を制御して熱交換器３の出湯温度が下がってから、バイパス水電磁弁１１を閉じる給湯切換ルーチンをコントローラ１８により行う。この制御を図５乃至７を参照して説明する。図５は制御ルーチンのフローチャートである。図６及び７は切換の過渡状態での湯の流れを示し、破線、実線及び丸印等の意味は図２乃至４と同じである。」（先願明細書の段落［００２４］）及び
「【００２６】そして、差湯実行中に蛇口等が開栓されると図６に示す過渡状態となる。即ち、熱交換器３からの湯は差湯管５と出湯管２の一般給湯管７の側とに分岐され、一般給湯管７の側へ流れた湯はバイパス管８からの冷水と混合され温度が下げられて一般給湯管７に流入する。なお、逆止弁１５が設けられているので、冷水が差湯管５に流入することはない。このとき一般給湯管７に湯が流れるため給湯水流センサ１６がオンされ（Ｓ１：Ｙｅｓ）、Ｓ４に進む。Ｓ４では、ガス比例弁２１の開度を絞る。熱交換器３からの出湯温度を給湯適温まで下げるためである。またこのとき、高温差湯のための時間のカウントは停止される。また、リモコン１９の表示機能を利用して、高温差湯が中断されている旨が表示される。
【００２７】そしてＳ５では、出湯サーミスタ１２の検知する出湯温度（Ｔｘ）が、予め定められた切換温度（Ｔ１）まで下がったか否かを判断する。出湯温度Ｔｘが切換温度Ｔ１まで下がると（Ｓ５：Ｙｅｓ）、Ｓ６に進む。Ｓ６では、第２水電磁弁１３を閉じる。温度の下がった湯が浴槽４１に流入し続けると高温差湯の目的に反するからである。一方、第２水電磁弁１３をＳ２で直ちに閉じないのは、熱交換器３からの高温の出湯を第２水電磁弁１３を通して浴槽４１の側に逃がすためである。熱交換器３からの出湯温度があまり高いうちに湯の全量を一般給湯管７の側へ流すと、バイパス管８からの冷水と混合してもなお、蛇口等へ供給するには温度が高すぎるからである。従って切換温度Ｔ１は、高温差湯用の出湯温度（例えば８０℃）より低く、給湯適温（４０℃程度）より高い温度（例えば６０℃程度）であり、コントローラ１８のＲＯＭに記憶された値である。また、リモコン１９により設定することもできる。
【００２８】この過渡状態を図７に示す。熱交換器３からの出湯が全量、一般給湯管７へ流れており、バイパス管８からは冷水が一般給湯管７へ流れている。これらは混合して適温の湯となって蛇口等から出湯する。
【００２９】そしてＳ７では、出湯サーミスタ１２の検知温度Ｔｘが、予め定められた切換温度（Ｔ２）まで下がったか否かを判断する。温度Ｔｘが切換温度Ｔ２まで下がると（Ｓ７：Ｙｅｓ）、Ｓ８に進む。Ｓ８では、バイパス水電磁弁１１を閉じる。図７の過渡状態に示すような混合出湯では使用者による温度設定ができない等の不都合があるので、検知温度Ｔｘが十分下がった後は、冷水との混合を行わないからである。従って切換温度Ｔ２は、理想的には一般給湯の適温（４０℃程度）である。ただし、切換温度Ｔ２を給湯適温と完全に等しくすると、バイパス水電磁弁１１が閉じられる直前での蛇口等からの出湯温度が給湯適温よりかなり低くなるので、給湯適温よりやや高い温度とするのがよい。」（先願明細書の段落［００２６］〜［００２９］）
との記載が、図面とともに記載されている。
　これらの記載からみて、先願明細書等には下記イ及びロの発明が記載されているといえる。
まず、本件特許の請求項１に係る発明に対応して
イ、「給水管１からの水をガスバーナ４の燃焼により加熱して出湯管２に供給する熱交換器３を有する給湯器と、一般の蛇口へ給湯するために前記出湯管２に連通接続の一般給湯管７と、この一般給湯管７と前記給水管１とを連通接続するバイパス管８と、このバイパス管８に設けられたバイパス水電磁弁１１と、高温差湯を給湯するために前記出湯管２に連通接続の差湯管５と、この差湯管５に設けられた第２水電磁弁と、前記給湯器、バイパス水電磁弁１１、ならびに、第２水電磁弁を制御するコントローラ１８とを備え、このコントローラ１８が、前記給水管１からの水を、前記熱交換器３によって加熱して一般給湯を行い、前記差湯管５への差湯給湯中に一般給湯の割込があると、前記給水管１の水をバイパス管８を介して一般給湯管７へ供給するように構成してある給湯装置であって、前記コントローラ１８が、一般給湯割込みの際、前記出湯管２からの差湯の流入によって高温となった一般給湯管７の湯温が低下するまで、前記第２水電磁弁１３を開弁状態に維持するように構成してある高温差湯機能付給湯器。」
また、本件特許の請求項２に係る発明に対応して
ロ、「給水管１からの水をガスバーナ４の燃焼により加熱して出湯管２に供給する熱交換器３を有する給湯器と、一般の蛇口へ給湯するために前記出湯管２に連通接続の一般給湯管７と、この一般給湯管７と前記給水管１とを連通接続するバイパス管８と、このバイパス管８に設けられたバイパス水電磁弁１１と、高温差湯を給湯するために前記出湯管２に連通接続の差湯管５と、この差湯管５に設けられた第２水電磁弁と、前記給湯器、バイパス水電磁弁１１、ならびに、第２水電磁弁を制御するコントローラ１８とを備え、このコントローラ１８が、前記給水管１からの水を、前記熱交換器３によって加熱して一般給湯を行い、前記差湯管５への差湯給湯中に一般給湯の割込があると、前記給水管１の水をバイパス管８を介して一般給湯管７へ供給するように構成してある給湯装置であって、前記出湯管２に供給する湯の温度を検出する出湯サーミスタ１２を設け、前記コントローラ１８が、一般給湯割込みの際、前記出湯サーミスタ１２による検出出湯温度が予め定められた切換温度以下になるまで、前記第２水電磁弁１３を開弁状態に維持するように構成してある高温差湯機能付給湯器。」
ｂ、対比・判断
　まず訂正明細書の各請求項に係る発明と先願明細書等に記載された上記イ又はロの発明とを対比すると、訂正明細書の各請求項に係る発明における「給水管（１）」、「バーナ（４）」、「給湯管（２）」、「熱交換器（３）」、「給湯栓（１１）」、「一般給湯路（１２）」、「バイパス路（１９）」、「バイパス弁（２０）」、「高温給湯路（２１）」、「高温給湯弁（２２）」、「給湯制御手段（Ｈ）」、「給湯温度検出手段（７）」及び「給湯装置」は、先願明細書等に記載された上記イ又はロの発明におけるそれぞれ「給水管１」、「ガスバーナ４」、「出湯管２」、「熱交換器３」、「蛇口」、「一般給湯管７」、「バイパス管８」、「バイパス水電磁弁１１」、「差湯管５」、「第２水電磁弁１３」、「コントローラ１８」、「出湯サーミスタ１２」及び「高温差湯機能付給湯器」に対応する。
　そこで、まず訂正明細書の請求項１に係る発明と先願明細書等に記載された上記イの発明についてみると、両者は、結局
「給水路（１）からの水をバーナ（４）の燃焼により加熱して給湯路（２）に供給する熱交換器（３）を有する給湯器（Ａ）と、一般の給湯栓（１１）へ給湯するために前記給湯路（２）に連通接続の一般給湯路（１２）と、この一般給湯路（１２）と前記給水路（１）とを連通接続するバイパス路（１９）と、このバイパス路（１９）に設けられたバイパス弁（２０）と、高温の湯を給湯するために前記給湯路（２）に連通接続の高温給湯路（２１）と、この高温給湯路（２１）に設けられた高温給湯弁（２２）と、前記給湯器（Ａ）、バイパス弁（２０）、ならびに、高温給湯弁（２２）を制御する給湯制御手段（Ｈ）とを備え、この給湯制御手段（Ｈ）が、前記高温給湯路（２１）への高温給湯中に一般給湯の割込みがあると、前記給水路（１）の水をバイパス路（１９）を介して一般給湯路（１２）へ供給するように構成してある給湯装置であって、
　前記給湯制御手段（Ｈ）が、一般給湯割込みの際、前記給湯路（２）からの高温湯の流入によって高温となった一般給湯路（１２）の湯温が低下するまで、前記高温給湯弁（２２）を開弁状態に維持するように構成してある給湯装置。」
である点で一致し、訂正明細書の請求項１に係る発明が、「給水路からの水を、その一部を熱交換器によって加熱してバイパス路からの水と混合して一般給湯を行」うのに対し、先願明細書等に記載された上記イの発明は、給水路からの水を熱交換器によって加熱して一般給湯を行う点で相違している。
　また、上記括弧書きの相違点は、訂正明細書の請求項２に係る発明と先願明細書等に記載された上記ロの発明についてみても、同じ相違点を互いに有しているといえる。
　また、訂正明細書の請求項３に係る発明と先願明細書等に記載された上記イ又はロの発明についてみると、両者は、上記括弧書きの一致点と同様の一致点を有するものの、訂正明細書の請求項３に係る発明が、一般給湯割込みの際、「一定時間経過するまで」、高温給湯弁を開弁状態に維持するように構成してあるのに対し、上記イ又はロの発明はそのように構成されていない点で相違している。
　また、訂正明細書の請求項４〜６に係る発明と先願明細書等に記載された上記イ又はロの発明についてみても、それら請求項４〜６に係る発明が、いずれも基本的には請求項３に従属する請求項であることから、少なくとも、一般給湯割込みの際、「一定時間経過するまで」、高温給湯弁を開弁状態に維持するように構成してあるという、上記請求項３に係る発明の場合と同様の相違点を有しているといえる。
　また、訂正明細書の請求項７に係る発明と先願明細書等に記載された上記イ又はロの発明についてみても、両者は、上記括弧書きの一致点と同様の一致点を有するものの、訂正明細書の請求項７に係る発明が、一般給湯割込みの際、「バイパス弁を全開状態にするように制御する」のに対し、上記イ又はロの発明はそのように構成されていない点で相違している。
　さらに、訂正明細書の請求項８に係る発明と先願明細書等に記載された上記イ又はロの発明についてみても、請求項８に係る発明が、請求項３〜６に従属する請求項であることから、少なくとも、請求項３〜６の場合と同様な、一般給湯割込みの際、「一定時間経過するまで」、高温給湯弁を開弁状態に維持するように構成してあるという相違点、及び、同じく一般給湯割込の際、上記請求項７に係る発明の場合と同様の「バイパス弁を全開状態にするように制御する」という相違点を有しているといえる。
　したがって、訂正明細書の請求項１〜８に係る発明は、いずれも先願明細書等に記載された上記イ又はロの何れの発明とも同一であるということはできない。
（６）訂正の適否に関する結論
　以上のとおりであるから、上記訂正事項ａ〜ｄによる訂正は、いずれも平成１１年改正前の特許法第１２０条の４第２項及び同条第３項において準用する特許法第１２６条第２項から第４項までの規定に適合するので、当該訂正を認める。
３、特許異議申立について
（１）本件発明
　本件特許の請求項１〜８に係る発明は、上記訂正及び補正がいずれも上述のごとく適法なものであるから、上記２の（２）で認定したとおりの訂正後の特許請求の範囲１〜８に記載されたとおりのものである。
（２）特許異議申立の概要
　本件特許異議申立人は、要するに本件特許の請求項１，２，３に係る発明は、当該特許出願の日前の特許出願であって当該特許出願後に出願公開された甲第１号証（特願平６−３０５６２０号（特開平８−１３６０４７号））願書に最初に添付した明細書又は図面に記載された発明であり、しかも両発明の出願人及び発明者が共に相違するから、特許法第２９条の２の規定により特許を受けることができないものであり、特許法第１１３条第２号の規定により取り消すべきものである旨主張している。
（３）判断
　結局、本件特許の請求項１，２，３，に係る発明は、本件特許異議申立人が提示した上記甲第１号証の願書に最初に添付した明細書又は図面に記載された発明とは、上記２の（５）のｂにおいて上述した相違を、いずれの請求項も有するものであって、互いに同一の発明ということができない。
（４）むすび
　以上のとおりであるから、本件特許異議申立の理由及び証拠には、本件特許の請求項１，２，３に係る発明の特許を取り消すべき理由を発見しない。
　また、他に本件特許の請求項１，２，３に係る発明の特許を取り消すべき理由を発見しない。
　よって、特許法等の一部を改正する法律（平成６年法律第１１６号）附則第１４条の規定にに基づく、特許法等の一部を改正する法律の施行に伴う経過措置を定める政令（平成７年政令第２０５号）第４条第２項の規定により、上記のとおり決定する。
【異議決定日】
平成１２年９月１日（２０００．９．１）
【訂正の要旨】
訂正の要旨
ａ、訂正事項ａ
　願書に添付した明細書の第１頁第１２〜１４行目（本件特許公報第１欄第１３行目〜第２欄２行目）の「この給湯制御手段（Ｈ）が、……………一般給湯路（１２）へ供給するように構成してある」を、『この給湯制御手段（Ｈ）が、前記給水路（１）からの水を、その一部を前記熱交換器（３）によって加熱して前記バイパス路（１９）からの水と混合して一般給湯を行い、前記高温給湯路（２１）への高温給湯中に一般給湯の割込みがあると、前記給水路（１）の水をバイパス路（１９）を介して一般給湯路（１２）へ供給するように構成してある』に訂正する。
ｂ、訂正事項ｂ
　同明細書の第１頁第２２〜２４行目（同第２欄第１４行目〜第３欄２行目）の「前記給湯制御手段（Ｈ）が、……………請求項１記載の給湯装置。」を、次文に訂正する。
『給水路（１）からの水をバーナ（４）の燃焼により加熱して給湯路（２）に供給する熱交換器（３）を有する給湯器（Ａ）と、一般の給湯栓（１１）へ給湯するために前記給湯路（２）に連通接続の一般給湯路（１２）と、この一般給湯路（１２）と前記給水路（１）とを連通接続するバイパス路（１９）と、このバイパス路（１９）に設けられたバイパス弁（２０）と、高温の湯を給湯するために前記給湯路（２）に連通接続の高温給湯路（２１）と、この高温給湯路（２１）に設けられた高温給湯弁（２２）と、前記給湯器（Ａ）、バイパス弁（２０）、ならびに、高温給湯弁（２２）を制御する給湯制御手段（Ｈ）とを備え、この給湯制御手段（Ｈ）が、前記高温給湯路（２１）への高温給湯中に一般給湯の割込みがあると、前記給水路（１）の水をバイパス路（１９）を介して一般給湯路（１２）へ供給するように構成してある給湯装置であって、
　前記給湯制御手段（Ｈ）が、一般給湯割込みの際、一定時間経過するまで、前記高温給湯弁（２２）を開弁状態に維持するように構成してある給湯装置。』
ｃ、訂正事項ｃ
　同明細書の第１頁第２８行目（同第３欄第７行目）の「請求項２または３記載の給湯装置」を、『請求項３記載の給湯装置』に訂正する。
ｄ、訂正事項ｄ
　同明細書の第２頁第８〜１０行目（同第３欄第２０〜２３行目）の「【請求項７】前記給湯制御手段（Ｈ）が、……………請求項１、２、３、４、５または６記載の給湯装置。」を、次文に訂正する。
『【請求項７】　給水路（１）からの水をバーナ（４）の燃焼により加熱して給湯路（２）に供給する熱交換器（３）を有する給湯器（Ａ）と、一般の給湯栓（１１）へ給湯するために前記給湯路（２）に連通接続の一般給湯路（１２）と、この一般給湯路（１２）と前記給水路（１）とを連通接続するバイパス路（１９）と、このバイパス路（１９）に設けられたバイパス弁（２０）と、高温の湯を給湯するために前記給湯路（２）に連通接続の高温給湯路（２１）と、この高温給湯路（２１）に設けられた高温給湯弁（２２）と、前記給湯器（Ａ）、バイパス弁（２０）、ならびに、高温給湯弁（２２）を制御する給湯制御手段（Ｈ）とを備え、この給湯制御手段（Ｈ）が、前記高温給湯路（２１）への高温給湯中に一般給湯の割込みがあると、前記給水路（１）の水をバイパス路（１９）を介して一般給湯路（１２）へ供給するように構成してある給湯装置であって、
　前記給湯制御手段が、一般給湯割込みの際、前記給湯路（２）からの高温湯の
流入によって高温となった一般給湯路（１２）の湯温が低下するまで、前記高温給湯弁（２２）を開弁状態に維持し、かつ、前記バイパス弁（２０）を全開にするように制御する給湯装置。
　【請求項８】　前記給湯制御手段（Ｈ）が、一般給湯割込みの際、前記バイパス弁（２０）を全開にするように制御する請求項３、４、５または６記載の給湯装置。』
ｅ、訂正事項ｅ
　同明細書の第５頁第９行目（本件特許公報第５欄２９行目）の「請求項７に記載の発明によれば」を、『請求項７および８に記載の発明によれば』に訂正する。
（５４）【発明の名称】
給湯装置
（５７）【特許請求の範囲】
　　【請求項１】　給水路（１）からの水をバーナ（４）の燃焼により加熱して給湯路（２）に供給する熱交換器（３）を有する給湯器（Ａ）と、一般の給湯栓（１１）へ給湯するために前記給湯路（２）に連通接続の一般給湯路（１２）と、この一般給湯路（１２）と前記給水路（１）とを連通接続するバイパス路（１９）と、このバイパス路（１９）に設けられたバイパス弁（２０）と、高温の湯を給湯するために前記給湯路（２）に連通接続の高温給湯路（２１）と、この高温給湯路（２１）に設けられた高温給湯弁（２２）と、前記給湯器（Ａ）、バイパス弁（２０）、ならびに、高温給湯弁（２２）を制御する給湯制御手段（Ｈ）とを備え、この給湯制御手段（Ｈ）が、前記給水路（１）からの水を、その一部を前記熱交換器（３）によって加熱して前記バイパス路（１９）からの水と混合して一般給湯を行い、前記高温給湯路（２１）への高温給湯中に一般給湯の割込みがあると、前記給水路（１）の水をバイパス路（１９）を介して一般給湯路（１２）へ供給するように構成してある給湯装置であって、
　前記給湯制御手段（Ｈ）が、一般給湯割込みの際、前記給湯路（２）からの高温湯の流入によって高温となった一般給湯路（１２）の湯温が低下するまで、前記高温給湯弁（２２）を開弁状態に維持するように構成してある給湯装置。
　　【請求項２】　前記給湯路（２）に供給する湯の温度を検出する給湯温検出手段（７）を設け、前記給湯制御手段（Ｈ）が、一般給湯割込みの際、前記給湯温検出手段（７）による検出給湯温が所定の温度以下になるまで、前記高温給湯弁（２２）を開弁状態に維持するように構成してある請求項１記載の給湯装置。
　　【請求項３】　
給
　
前記給湯制御手段（Ｈ）が、
　　【請求項４】　前記高温給湯路（２１）に流量変更手段（２２）を設け、前記給湯制御手段（Ｈ）が、一般給湯割込みの際、前記高温給湯路（２１）の流量を設定流量にするように前記流量変更手段（２２）を変更操作するように構成してある請求項３記載の給湯装置。
　　【請求項５】　前記高温給湯路（２１）が浴槽（８）へ追焚き給湯するための追焚き路で、かつ、前記高温給湯弁（２２）と流量変更手段（２２）が、前記追焚き路（２１）に設けた追焚き弁である請求項４記載の給湯装置。
　　【請求項６】　前記給水路（１）からの水の温度を検出する給水温検出手段（６）を設け、前記給湯制御手段（Ｈ）が、一般給湯割込みの際、前記給水温検出手段（６）による検出給水温が高い程、前記追焚き弁（２２）の開度を大に、検出給水温が低い程、前記追焚き弁（２２）の開度を小に変更するように構成してある請求項５記載の給湯装置。
　　【請求項７】　給水路（１）からの水をバーナ（４）の燃焼により加熱して給湯路（２）に供給する熱交換器（３）を有する給湯器（Ａ）と、一般の給湯栓（１１）へ給湯するために前記給湯路（２）に連通接続の一般給湯路（１２）と、この一般給湯路（１２）と前記給水路（１）とを連通接続するバイパス路（１９）と、このバイパス路（１９）に設けられたバイパス弁（２０）と、高温の湯を給湯するために前記給湯路（２）に連通接続の高温給湯路（２１）と、この高温給湯路（２１）に設けられた高温給湯弁（２２）と、前記給湯器（Ａ）、バイパス弁（２０）、ならびに、高温給湯弁（２２）を制御する給湯制御手段（Ｈ）とを備え、この給湯制御手段（Ｈ）が、前記高温給湯路（２１）への高温給湯中に一般給湯の割込みがあると、前記給水路（１）の水をバイパス路（１９）を介して一般給湯路（１２）へ供給するように構成してある給湯装置であって、
　前記給湯制御手段が、一般給湯割込みの際、前記給湯路（２）からの高温湯の流入によって高温となった一般給湯路（１２）の湯温が低下するまで、前記高温給湯弁（２２）を開弁状態に維持し、かつ、前記バイパス弁（２０）を全開にするように制御する給湯装置。
　　【請求項８】　前記給湯制御手段（Ｈ）が、一般給湯割込みの際、前記バイパス弁（２０）を全開にするように制御する請求項３、４、５または６記載の給湯装置。
【発明の詳細な説明】
　【０００１】
　　【発明の属する技術分野】
　本発明は、給水路からの水をバーナの燃焼により加熱して給湯路に供給する熱交換器を有する給湯器と、一般の給湯栓へ給湯するために前記給湯路に連通接続の一般給湯路と、この一般給湯路と前記給水路とを連通接続するバイパス路と、このバイパス路に設けられたバイパス弁と、高温の湯を給湯するために前記給湯路に連通接続の高温給湯路と、この高温給湯路に設けられた高温給湯弁と、前記給湯器、バイパス弁、ならびに、高温給湯弁を制御する給湯制御手段とを備え、この給湯制御手段が、前記高温給湯路への高温給湯中に一般給湯の割込みがあると、前記給水路の水をバイパス路を介して一般給湯路へ供給するように構成してある給湯装置に関する。
　【０００２】
　　【従来の技術】
　このような構成の給湯装置としては、高温給湯路からの高温の湯を浴槽へ追焚き給湯したり、高温の湯で食器を洗浄するなど、種々の用途に利用され、現実に実施もされている。
　ところで、高温の湯で追焚き給湯する風呂用給湯装置を例にとると、従来、浴槽への追焚き給湯中に一般給湯の割込みがあると、給湯器などを制御する給湯制御手段が、追焚き弁を閉弁して浴槽への給湯を停止するとともに、バイパス路を介して給水路の水を一般給湯路へ供給し、この給水路からの水で一般給湯路の湯温を低下させるように構成していた。
　【０００３】
　　【発明が解決しようとする課題】
　このように、給水路の水を一般給湯路へ供給して湯温の低下を図っていたのであるが、追焚き給湯における湯の温度は、一般に９０℃以上の高温であり、追焚き弁の閉弁に伴って、熱交換器などに残っていた高温の湯が、全て一般給湯路に流れるため、バイパス弁を全開にして多量の水を一般給湯路に供給したとしても、例えば、夏場などのように水の温度が高い場合には、湯温の低下が不十分となり、かなり高温の湯が給湯栓から吐出される可能性があった。
　【０００４】
　本発明は、このような従来の欠点を解消するもので、その目的は、追焚き路などの高温給湯路への給湯中に一般給湯の割込みがあった場合、より確実に一般給湯路の湯温を低下させることの可能な給湯装置の提供にある。
　【０００５】
　　【課題を解決するための手段】
　この目的を達成するため、請求項１に記載の発明によれば、高温給湯路への高温給湯中に一般給湯の割込みがあると、給水路の水をバイパス路を介して一般給湯路へ供給するのみならず、給湯制御手段が、給湯路からの高温湯の流入によって高温となった一般給湯路の湯温が低下するまで、高温給湯路に設けた高温給湯弁を開弁状態に維持するものであるから、熱交換器などに残っていた高温の湯は、その一部がそのまま高温給湯路側へ流れ、残りの一部が一般給湯路側に流れることになる。そして、この一般給湯路側に流れた一部の高温の湯に対して給水路の水を混合することになるため、一般給湯路の湯温はより確実、迅速に低下することになり、給湯栓から高温の湯が吐出される可能性が低くなる。
　【０００６】
　請求項２に記載の発明によれば、給湯路に供給する湯の温度を検出する給湯温検出手段を設け、前記給湯制御手段が、一般給湯割込みの際、この給湯温検出手段による検出給湯温が所定の温度以下になるまで、前記高温給湯弁を開弁状態に維持するものであるから、給湯栓から高温の湯が吐出される事態をより一層確実に回避することができる。
　【０００７】
　請求項３に記載の発明によれば、前記給湯制御手段が、一般給湯割込みの際、一定時間経過するまで、前記高温給湯弁を開弁状態に維持するものであるから、上述のように給湯温度検出手段を設けるのに比して確実性は若干低下するものの、給湯温度検出手段などが不要となり、簡単な構造で実施することができる。
　【０００８】
　請求項４に記載の発明によれば、前記高温給湯路に流量変更手段を設け、前記給湯制御手段が、一般給湯割込みの際、この高温給湯路の流量を設定流量にするように流量変更手段を変更操作するものであるから、例えば、上述の給湯温検出手段による検出給湯温に応じて、その検出給湯温が高ければ、高温給湯路の流量を大に、低ければ小にしたり、また、給水路の水の温度を検出する給水温検出手段を有する場合には、この給水温検出手段による検出給水温に応じて、検出給水温が高いと流量を大に、低いと小にすることによって、給湯栓からの高温の湯の吐出を防止し、かつ、極端に低温の湯を供給することを防止しながら、一般給湯実行に至るまでの時間を短縮することができる。
　【０００９】
　請求項５に記載の発明によれば、前記高温給湯路が浴槽へ追焚き給湯するための追焚き路で、かつ、前記高温給湯弁と流量変更手段が、この追焚き路に設けた追焚き弁であるから、追焚き給湯中に一般給湯の割込みがあった際、給湯栓から高温の湯が吐出されることを防止し、かつ、極端に低温の湯を供給することもなく、一般給湯実行までの時間を短縮でき、しかも、ひとつの追焚き弁で高温給湯弁と流量変更手段とを兼用することができ、部品点数の減少によってコストダウンを図ることができる。
　【００１０】
　請求項６に記載の発明によれば、給水路からの水の温度を検出する給水温検出手段を設け、前記給湯制御手段が、一般給湯割込みの際、この給水温検出手段による検出給水温が高い程、前記追焚き弁の開度を大に、検出給水温が低い程、前記追焚き弁の開度を小に変更するものであるから、この場合にも、給湯栓からの高温の湯の吐出を防止しながら、極端に低温の湯を供給することがなく、しかも、熱交換器に供給する給水温に基づいて追焚き弁の開度変更を行うものであるから、熱交換器から供給される給湯温に基づいて開度変更するものに比較して、追焚き弁の開度変更を迅速に行うことができ、一般給湯実行に至るまでの時間をより一層短縮することができる。
　【００１１】
　請求項７および８に記載の発明によれば、前記給湯制御手段が、一般給湯割込みの際、バイパス弁を全開にするものであるから、給水路の水をバイパス路を介して一般給湯路へ多量に供給することができ、一般給湯路の湯温を急速に低下させて、一般給湯実行までの時間をさらに短縮することができる。
　【００１２】
　　【発明の実施の形態】
　本発明による給湯装置の実施の形態を図面に基づいて説明する。
　図１は、風呂用の給湯装置全体の概略を示し、給水路１から供給される水を加熱して給湯路２に供給するためのフィンチューブ型の熱交換器３と、この熱交換器３を加熱するためのガスバーナ４などによって給湯器Ａが構成され、前記給水路１には、通水量を検出する水量センサ５と給水温を検出する給水温検出手段としての給水サーミスタ６が設けられ、給湯路２には、給湯温を検出する給湯温検出手段としての給湯サーミスタ７が設けられている。
　【００１３】
　前記給湯路２には、熱交換器３による加熱後の湯を浴槽８へ給湯して湯張りするための湯張り路９が連通接続され、この湯張り路９の他端が風呂アダプタ１０を介して浴槽８に接続されるとともに、この給湯路２には、湯張り路９の一部を共用する状態で、カランやシャワーなどの一般の給湯栓１１を有する一般給湯路１２が連通接続されている。
　この一般給湯路１２と湯張り路９との共用部分には、上流側から逆止弁１３、電磁式の水比例弁１４、ミキシングサーミスタ１５とが設けられ、一般給湯路１２には、割込みセンサ１６が、給湯路２には、電磁式の湯張り弁１７とバキュームブレーカ１８とが、それぞれ設けられている。
　【００１４】
　前記一般給湯路１２と湯張り路９との共用部分のうち、逆止弁１３と水比例弁１４との間の箇所には、給水路１に連通接続のバイパス路１９が接続され、かつ、バイパス路１９には、電磁式のバイパス弁２０が設けられている。
　このバイパス路１９は、大径のバイパス路１９ａと小径のバイパス路１９ｂとの２本のバイパス路からなり、大径バイパス路１９ａには大径バイパス弁２０ａが、小径バイパス路１９ｂには小径バイパス弁２０ｂが設けられている。
　【００１５】
　前記給湯路２には、さらに、９３℃程度の高温の湯を給湯するための高温給湯路としての追焚き路２１が連通接続され、この追焚き路２１の他端が前記湯張り弁１７よりも下流でバキュームブレーカ１８よりも上流の湯張り路９に接続されている。
　すなわち、追焚き給湯用の高温の湯を供給する追焚き路２１が、湯張り路９の一部を共用する状態で、風呂アダプタ１０を介して浴槽８に接続され、かつ、この追焚き路２１には、電磁式の高温給湯弁としての追焚き弁２２が設けられていて、この追焚き弁２２が追焚き路２１の湯の流量を変更する流量変更手段としても作用する。
　【００１６】
　前記ガスバーナ４は、第一バーナブロック４ａ、第二バーナブロック４ｂ、ならびに、第三バーナブロック４ｃの３つのブロックに分割され、各バーナブロック４ａ，４ｂ，４ｃには、主燃料ガス供給路２３から分岐された３本の燃料ガス供給路２４ａ，２４ｂ，２４ｃが、これら３つのバーナブロック４ａ，４ｂ，４ｃにそれぞれ各別に燃料ガスを供給するように接続されている。
　これら３本の燃料ガス供給路２４ａ，２４ｂ，２４ｃには、燃料ガスの供給を断続する電磁式の断続弁２５ａ，２５ｂ，２５ｃが、また、前記主燃料ガス供給路２３には、ガバナ付きの電磁式比例弁２６と同じく電磁式の安全弁２７とが設けられ、さらに、着火のためのイグナイタ２８と着火を検出するフレームロッド２９、ならびに、ガスバーナ４に燃焼用の一次空気および二次空気を供給するとともに、冷却用の空気を供給するファン３０も設けられている。
　【００１７】
　このような構成の給湯装置は、その作動がマイコンからなる給湯制御手段Ｈによって制御されるように構成され、この給湯制御手段Ｈに制御指令を与えるメインリモコンＲａと浴室リモコンＲｂとが無線あるいは有線で接続されている。
　メインリモコンＲａには、給湯の開始および停止を指示する運転スイッチ３１、湯張りスイッチ３２、一般給湯温度を設定する温度設定スイッチ３３などが、浴室リモコンＲｂには、同じく運転スイッチ３４、湯張りスイッチ３５、湯張り温度を設定する湯張り温度設定スイッチ３６、追焚きスイッチ３７などが設けられている。
　【００１８】
　つぎに、この給湯装置の制御作動について説明すると、メインリモコンＲａの運転スイッチ３１または浴室リモコンＲｂの運転スイッチ３４をＯＮすることにより給湯可能な状態となる。
　この給湯可能な状態で、給湯栓１１を開けて給水路１内を設定水量以上の水が通水すると、水量センサ５が検出してファン３０を回転駆動し、安全弁２７を開弁するとともに、各断続弁２５ａ，２５ｂ，２５ｃを開弁し、かつ、電磁式比例弁２６を暖点火位置にセットし、イグナイタ２８によって着火して、フレームロッド２９により着火を確認する。
　【００１９】
　その際、給湯制御手段Ｈが、水量センサ５による検出水量と給水サーミスタ６による検出水温に基づいて、メインリモコンＲａの温度設定スイッチ３３による設定温度から必要な熱量を演算し、高い熱量が必要であれば、前記断続弁２５ａ，２５ｂ，２５ｃの全てを開弁して３つのバーナブロック４ａ，４ｂ，４ｃを燃焼させ、低い熱量で足りれば、断続弁２５ａのみを開弁して第一バーナブロック４ａのみを燃焼させ、中間の熱量であれば、断続弁２５ａ，２５ｂを開弁して第一バーナブロック４ａと第二バーナブロック４ｂとを燃焼させる。
　同時に、メインリモコンＲａの温度設定スイッチ３３による設定温度が高温の場合には、大径バイパス弁２０ａを閉弁して小径バイパス弁２０ｂのみを開弁し、設定温度が低温の場合には、大径バイパス弁２０ａと小径バイパス弁２０ｂとを開弁し、中間の温度の場合には、大径バイパス弁２０ａのみを開弁ずる。
　【００２０】
　このようにして、給水路１からの水は、その一部が熱交換器３によって加熱されてバイパス路１９からの水と混合され、給湯栓１１から吐出される。
　その際、給湯制御手段Ｈが、水量センサ５による検出水量と給水サーミスタ６による検出水温に基づいて、設定温度から必要なガス量を演算し、電磁式比例弁２６の開度を調整するとともに、ファン３０の回転数を所定の回転数にセットする。
　その後においては、ミキシングサーミスタ１５による検出温度が設定温度になるように、電磁式比例弁２６の開度とファン３０の回転数とを微量調整し、３つのバーナブロック４ａ，４ｂ，４ｃの全てを最大限に燃焼させても、ミキシングサーミスタ１５による検出温度が設定温度に足りない場合には、水比例弁１４を絞ることによって設定温度になるように制御する。
　【００２１】
　上述の給湯可能な状態で、メインリモコンＲａの湯張りスイッチ３２または浴室リモコンＲｂの湯張りスイッチ３５をＯＮすると、湯張りモードとなって浴槽８への湯張り給湯が実行され、浴室リモコンＲｂの湯張り温度設定スイッチ３６による設定温度から、一般給湯の場合と同様に、給湯制御手段Ｈが必要なガス量を演算し、電磁式比例弁２６の開度などを調整し、ミキシングサーミスタ１５による検出温度が設定温度になるように微量調整する。
　この湯張りモード中に給湯栓１１を開けると、割込みセンサ１６の検出に基づいて湯張り弁１６を閉弁して、上述の一般給湯が実行され、一般給湯終了後に湯張りが再開される。
　【００２２】
　上述の給湯可能な状態で、浴室リモコンＲｂの追焚きスイッチ３７をＯＮすると、追焚きモードとなって追焚き弁２２が開弁され、給水路１からの水が全て熱交換器３で加熱されて浴槽８に供給される。
　この追焚きモードにおいては、給湯サーミスタ７による検出温度が９３℃になるように、給湯制御手段Ｈが、水量センサ５による検出水量と給水サーミスタ６による検出水温に基づいて必要なガス量を演算し、電磁式比例弁２６の開度を調整してファン３０の回転数をセットし、給湯サーミスタ７による検出温度に基づいて電磁式比例弁２６の開度などを微量調整する。
　【００２３】
　この追焚きモード中においても、給湯栓１１を開けると、割込みセンサ１６の検出に基づいて一般給湯の割込みが実行される。この一般給湯割込みの際には、給湯制御手段Ｈが、水量センサ５による検出水量と給水サーミスタ６による検出水温に基づいて、メインリモコンＲａの温度設定スイッチ３３による設定温度から必要なガス量を演算して、電磁式比例弁２６の開度などを調整するのであるが、同時に、図２に示すように、給水サーミスタ６の検出入水温に基づいて追焚き弁２２の開度が調整される。
　【００２４】
　すなわち、給水サーミスタ６による検出入水温がある設定温度Ｔ１より低ければ、図３に示すように、追焚き弁２２の開度を小にして、水量センサ５による検出水量ＱＳがＱ１になるように制御し、検出入水温がある設定温度Ｔ２より高ければ、追焚き弁２２の開度を大にして、検出水量ＱＳがＱ２になるように制御する。そして、給水サーミスタ６による検出入水温がＴ１とＴ２の間であれば、検出水量ＱＳがＱ１＋（Ｑ２−Ｑ１）／（Ｔ２−Ｔ１）になるように、追焚き弁２２の開度を調整し、ＱＳの流量で熱交換器３内の高温湯のパージを実行する。
　さらに、この高温湯のパージと同時に大径バイパス弁２０ａと小径バイパス弁２０ｂとを共に全開にし、給湯サーミスタ７による検出湯温がある設定温度Ｔ０以下になると、追焚き弁２２を閉弁してパージを終了する。
　【００２５】
　　〔別実施形態〕
　上述の実施形態においては、給水サーミスタ６による検出入水温に基づいてパージ流量を変更する構成のものを示したが、パージ流量を一定にして実施することもでき、また、給湯サーミスタ７による検出湯温がＴ０以下になると、追焚き弁２２を閉弁してパージを終了する構成のものを示したが、一般給湯の割込み後、一定時間経過した後に追焚き弁２２を閉弁するようにして実施することもできる。
　【００２６】
　また、高温給湯路を追焚き路２１とする風呂用給湯装置を例示したが、高温給湯路からの湯を食器洗浄器へ供給する食器洗浄用の給湯装置など、高温の湯を給湯する各種の給湯装置に適用することができる。
　【００２７】
　尚、特許請求の範囲の項に図面との対照を便利にするために符号を記すが、該記入により本発明は添付図面の構成に限定されるものではない。
【図面の簡単な説明】
　　【図１】
　風呂用給湯装置全体の概略構成図
　　【図２】
　追焚き中における一般給湯割込み時の作動を示すフローチャート
　　【図３】
　パージ流量と入水温との関係を示すグラフ
　　【符号の説明】
　１　　　　給水路
　２　　　　給湯路
　３　　　　熱交換器
　４　　　　バーナ
　６　　　　給水温検出手段
　７　　　　給湯温検出手段
　８　　　　浴槽
　１１　　　給湯栓
　１２　　　一般給湯路
　１９　　　バイパス路
　２０　　　バイパス弁
　２１　　　高温給湯路としての追焚き路
　２２　　　高温給湯弁および流量変更手段としての追焚き弁
　Ａ　　　　給湯器
　Ｈ　　　　給湯制御手段